(57)【要約】【課題】エフェクター機器の大きさに適合して、エフェクター機器を強固に固定することが可能であると共に、固定したエフェクター機器が取外し可能とされたエフェクター固定台と、これが着脱容易なエフェクター固定具セットを提供すること。【解決手段】  エフェクター固定具をエフェクター機器の大きさに応じて造形し、エフェクター機器の底部を、機器の側壁の傾斜に適合した傾斜面を有する立設部を備えた枠体で、機器の底部を少なくとも三方から囲んで固定させることにした。また、予めエフェクター機器を固定させたエフェクター固定台を、中間保持台に固定させておいて、その中間保持台を装着させる下部基台とからなるエフェクター固定具セットとし、中間保持台と下部基台を共通化した。【選択図】図１
2018083730.tif 000002
【特許請求の範囲】
【請求項１】
音響用のエフェクター機器を固定させるエフェクター固定台において、
前記エフェクター固定台は、前記エフェクター機器の底面を支える枠体を含み、
前記枠体は、底部と、前記底部の周縁から立設され、エフェクター機器を支える立設部とからなり、
前記底部が、前記エフェクター機器の底面の少なくとも三方の周縁を支え、
前記立設部が、エフェクター機器に面する側に傾斜面を含み、前記傾斜面がエフェクター機器の傾斜された側壁の内の、少なくとも三方の側壁の下方に接してエフェクター機器を固定させる、
ことを特徴とするエフェクター固定台。
【請求項２】
前記エフェクター固定台は、閉鎖部材を含み、
前記枠体が、前記底面周囲の三方の周囲のみに接し、
前記傾斜面が、前記エフェクター機器の周縁に沿って形成され、
前記枠体の側方開方部を開いて、前記傾斜面を前記側壁に三方から接しさせるようにエフェクター機器に前記枠体を装着させた状態で、前記枠体の側方開放部が前記閉鎖部材により閉鎖されて、前記エフェクター機器が前記エフェクター固定台に固定される、
ことを特徴とする請求項１に記載のエフェクター固定台。
【請求項３】
前記エフェクター固定台は、複数の突出軸を含み、
前記底部が、前記エフェクター機器の底面の四方の周縁を支え、
前記突出軸が、前記立設部の各角隅部を挟んだ前記側壁の一方に接するように、各角隅部に対をなして立設され、
前記突出軸体のエフェクター機器に面する側が前記傾斜面とされている、
ことを特徴とする請求項１に記載のエフェクター固定台。
【請求項４】
前記エフェクター固定台は、挿通孔と突出軸体とを含み、
前記挿通孔が、前記各角隅部を挟んだ位置に上下方向に穿孔されて形成され、
前記突出軸体が、前記挿通孔に挿通されて前記突出軸とされる、
ことを特徴とする請求項３に記載のエフェクター固定台。
【請求項５】
前記エフェクター固定台が、粘弾性部材を含み、
前記粘弾性部材が、前記傾斜面に付設され、前記側壁と前記傾斜面とが前記粘弾性部材を介して接している、
ことを特徴とする請求項１乃至請求項４のいずれか一項に記載のエフェクター固定台。
【請求項６】
エフェクターボードにエフェクター機器を固定させるエフェクター固定具セットにおいて、
請求項１乃至請求項５のいずれか一項に記載のエフェクター固定台と、前記エフェクター固定台を保持させる中間保持台と、前記中間保持台を前記エフェクターボードに固定させる下部基台とからなり、
前記エフェクター固定台を保持させた前記中間保持台を、前記下部基台に装着させる装着手段を含んでいる、
ことを特徴とするエフェクター固定具セット。
【請求項７】
前記エフェクター固定具セットにおいて、
立柱と、陥没穴と、水平突出片と塞ぎ板とからなる装着手段を含み、
前記立柱が、前記下部基台の天面に複数列をなして形成され、
前記陥没穴が、前記中間保持台の底面に複数列をなして形成され、
前記水平突出片が、向かい合う立柱頂部の内面位置に形成され、
前記塞ぎ板が、前記中間保持台の底面にスライド可能に備えられ、
前記装着手段は、開放された前記陥没穴に前記立柱頂部が嵌装された状態で、前記塞ぎ板が向かい合う立柱の間をスライドされて、前記陥没穴の一部が前記塞ぎ板により閉鎖され、前記水平突出片が前記陥没孔の中に格納され、前記中間保持台を前記下部基台に装着させる、
ことを特徴とする請求項６に記載のエフェクター固定具セット。
【発明の詳細な説明】
【技術分野】
【０００１】
本発明は、楽器用のエフェクター機器を固定するエフェクター固定台及びエフェクター固定具セットに関する。具体的には、エフェクター機器の大きさに適合して、エフェクター機器を強固に固定することが可能であると共に、固定したエフェクター機器が取外し可能とされたエフェクター固定台を提供することである。更には、エフェクター固定台の大きさが異なっても、エフェクター固定台と脱着可能とされている下部基台と、前記エフェクター固定台とを含んだエフェクター固定具セットに関する。
【背景技術】
【０００２】
音響効果を向上させる機器としてエフェクター機器がある。エフェクター機器は電気楽器等が発生させた音の電気信号を、出力機器に至るまでの間に、様々に変化させ音響効果を高める機器である。エフェクター機器の大きさは統一されておらず、夫々異なっているが、数多く普及しているエフェクター機器の大きさに合わせて、エフェクター機器が固定可能であるエフェクター固定具の技術が特許文献１に開示されている。【０００３】
特許文献１に記載のエフェクター固定具は、エフェクター機器を固定させる上部板と、予めエフェクターボードに固着させておく下部板とからなり、上部板の下面と下部板の上面を離間させるように組み立てて、離間空間にエフェクター機器の配線を引きまわし可能としている。下部板からは、前後に２本ずつの支柱が立設され、引掛け凸部が前方支柱の前縁に形成されていると共に、先端に引掛け爪を備えさせた板体が、後方端部には立設されている。【０００４】
上部板の底面には、前記支柱に対応される位置に陥没穴が形成され、前方陥没穴の前縁には、前記引掛け凸部と係合される引掛け顎が形成され、天面の後方には、下部板の後方端部から立設された板体の引掛け爪を係合させる溝が形成されている。また、上部板の天面の四隅には、載置させたエフェクター機器の側面を支える細幅立設片が形成されると共に、エフェクター機器を拘束させる結束バンド又は紐を引っ掛ける爪が両側方に形成される。【０００５】
このエフェクター固定具にエフェクター機器を固定するには、予め上部板にエフェクター機器を載せて、細幅立設片に緩衝リングを装着させて、エフェクター機器と細幅立設片との隙間をなくし密着するようにし、エフェクター機器の上から紐を両側方の爪に引っ掛けて、エフェクター機器が脱落しないように固定する。【０００６】
エフェクター機器を上部板に固定した状態で、上部板の先方が低くなるように傾けて、上部板の前方陥没穴の引掛け顎を、下部板の前方支柱の引掛け凸部に引掛けてから、上部板を水平にし、後方陥没穴に後方支柱を嵌め、下部板の後方端部に立設された板体の引掛け爪を上部板の溝に引掛けて、上部板を下部板に固定させていた。【０００７】
演奏者は、複数のエフェクターを使っても誤って操作しないように、エフェクター機器の後端の位置を揃えるようにして使用している。そうすると、下部板の形状を統一した場合には、前後方向に長いエフェクター機器には、この技術が適用できないという課題があった。具体的には、長いエフェクター機器を、上部板の後端と下部板の後端の位置が揃えられたエフェクター固定具に固定させるとすると、上部板の先端が下部板の先端よりも先方に長く延びることになる。【０００８】
上部板を下部板に固定させるためには、前方の陥没穴に前方支柱の先端をあてがうようにして、上部板を前方に傾けて、引掛け凸部と引掛け顎とを係合させることが必要である。しかし、上部板の先端が下部板の先端よりも先方に長く延びているため、上部板を傾けようとすると、下部板が固定してある場合には、下部板よりも下に上部板の先端を低くすることができないため、陥没穴が支柱の先端から浮き上がる状態となってしまう。そうすると、陥没穴と支柱の先端との間が離れてしまい、引掛け凸部に引掛け顎を引掛けることができず、上部板と下部板とを一体化することができなかった。【０００９】
このため、下部板を統一した場合には、このエフェクター固定具の技術を前後方向に長いエフェクター機器に適用することはできなかった。また、エフェクター機器の大きさは、前後方向だけでなく、左右の幅方向にも異なった機器が多く様々である。エフェクター機器の種類が多く、多くの機種に適合して、強固に固定することが可能なエフェクター固定具を提供することが求められていた。【００１０】
一方、上部板に載置可能な大きさと、近似した大きさの底面を有するエフェクター機器を選んで、上部板に搭載させても、エフェクター機器と細幅立設片との間に僅かな隙間があく。細幅立設片に緩衝リング等を装着することにより、隙間があかないようにされて固定度が高められていた。しかし、エフェクター機器は足で踏んで使用する機器もあるため、使われている間に固定が弛むことがある。この弛みを発生させないようにするため、上部板の側方の爪に樹脂性の結束バンド又は紐を引っ掛けて、エフェクター機器を上方からも拘束させることが必要であった。【００１１】
しかし、エフェクター機器が高価である場合、例えばヴィンテージ物のエフェクター機器である場合には、エフェクター機器の塗装等を損なわせないために、紐や結束バンドを使うことができず、この技術によっては、演奏者が愛用しているヴィンテージ物のエフェクター機器を固定することができないという課題があった。【００１２】
本願の発明者は、エフェクター機器の固定具について鋭意研究を重ねた結果、どのエフェクター機器も筐体が、ダイキャスト製造によるか、プレス製造により製造されており、製造の段階で雌型から筐体を引き出すことが可能であるように、筐体の側壁が僅かに内方に傾斜し、上方が窄まった形状になっているという共通点に着目して、本願の発明に至ったものである。
【先行技術文献】
【特許文献】
【００１３】
【特許文献１】特願２０１１−５４８７０３号公報
【発明の概要】
【発明が解決しようとする課題】
【００１４】
本発明は、エフェクター機器の大きさに適合して、エフェクター機器を強固に固定することが可能であると共に、固定したエフェクター機器が取外し可能とされたエフェクター固定台を提供すると共に、エフェクター固定台の大きさが異なっても、エフェクター固定台と容易に脱着することが可能な下部基台と、前記エフェクター固定台とを含んだエフェクター固定具セットを提供することを課題とした。【００１５】
本発明の第１の発明は、音響用のエフェクター機器を固定させるエフェクター固定台において、前記エフェクター固定台は、前記エフェクター機器の底面を支える枠体を含み、前記枠体は、底部と、前記底部の周縁から立設され、エフェクター機器を支える立設部とからなり、前記底部が、前記エフェクター機器の底面の少なくとも三方の周縁を支え、前記立設部が、エフェクター機器に面する側に傾斜面を含み、前記傾斜面がエフェクター機器の傾斜された側壁の内の、少なくとも三方の側壁の下方に接してエフェクター機器を固定させることを特徴としている。【００１６】
エフェクター機器の大きさは統一された規格がなく、機器毎に大きさが異なっているが、エフェクター機器の筐体は、主としてダイキャストにより製造されている。ダイキャストして型から引き抜くために、筐体の側面は、具体的には約１度以上の傾斜角度で傾斜されている。立設部は、エフェクター機器の底縁部の少なくとも三方の側壁の下方に接するようにされている。立設部の、エフェクター機器側の面は傾斜面とされ、エフェクター機器の傾斜された側壁に適合して接している。【００１７】
立設部の周囲四方が、エフェクター機器の側壁の下方に接する場合には、エフェクター機器の底縁の全てが囲まれた状態となる。立設部の四方のうちの三方が、エフェクター機器の側壁の下方に接する場合は、残りの一方が側方開放部とされ、三方がエフェクター機器の底縁を囲んだ状態となる。上方が窄まったエフェクター機器の底縁の少なくとも三方が、エフェクター機器の側壁の傾斜に適合した傾斜面とされた立設部により挟まれて固定されるため、エフェクター機器が上方に抜けにくい状態とされる。【００１８】
エフェクター固定台は、固定させるエフェクターの底面の形状に適合するように、３Ｄプリンタ又は射出成形等により樹脂製の固定台が製造される。エフェクター固定台の立設部の傾斜面がエフェクター機器の側壁の傾斜に適合した傾斜となるように、エフェクター機器の形状・大きさに適合し、機器を載置した状態で遊びがほとんどない固定台が造形される。３Ｄプリンタの種類は、熱溶解積層方式、粉末焼結方式、インクジェット方式等のいずれでもよく、限定されない。【００１９】
エフェクター機器が、遊びがほとんどない状態で、エフェクター機器の側壁の傾斜に適合した傾斜面を有する立設部により挟まれて固定されるため、演奏者がエフェクター機器を足先で操作しても、エフェクター固定台から外れることがない。また、紐や結束バンドでエフェクター機器を拘束させる必要がないため、エフェクター機器の塗装等を損なわせず高価なヴィンテージ物の機器にも適用が可能である。【００２０】
本発明の第２の発明は、第１の発明において、前記エフェクター固定台は、閉鎖部材を含み、前記枠体が、前記底面周囲の三方の周囲のみに接し、前記傾斜面が、前記エフェクター機器の周縁に沿って形成され、前記枠体の側方開方部を開いて、前記傾斜面を前記側壁に三方から接しさせるようにエフェクター機器に前記枠体を装着させた状態で、前記枠体の側方開放部が前記閉鎖部材により閉鎖されて、前記エフェクター機器が前記エフェクター固定台に固定されることを特徴としている。【００２１】
エフェクター機器の底縁部の周囲を、エフェクター固定台の周囲の立設部だけで支えているため、外観上エフェクター固定台が目立たず、エフェクター固定台にエフェクター機器を装着させた状態でも、見栄えが良い。枠体の側方開放部を開いた状態として、エフェクター機器の底縁の三方を囲むように枠体を装着させてから、側方開放部を閉鎖部材により閉鎖させ、底縁の全周囲を囲う。なお、側方開放部は四方のいずれの位置であってもよい。第２の発明によれば、エフェクター固定台が目立たないように、エフェクター機器を見栄えよく強固に固定させることが可能である。【００２２】
本発明の第３の発明は、第１の発明において、前記エフェクター固定台は、複数の突出軸を含み、
前記底部が、前記エフェクター機器の底面の四方の周縁を支え、前記突出軸が、前記立設部の各角隅部を挟んだ前記側壁の一方に接するように、各角隅部に対をなして立設され、前記突出軸体のエフェクター機器に面する側が前記傾斜面とされていることを特徴としている。【００２３】
第３の発明によれば、エフェクター機器の周囲を、底部と立設部とからなる枠体が、四方から囲んで支えることになり、固定状態が弛みにくく、エフェクター機器を強固に固定することが可能である。また、突出軸体を外方に反らすようにして、枠内にエフェクター機器を誘導すれば、エフェクター固定台にエフェクター機器を固定させることが可能である。【００２４】
本発明の第４の発明は、第３の発明において、前記エフェクター固定台は、挿通孔と突出軸体とを含み、前記挿通孔が、前記各角隅部を挟んだ位置に上下方向に穿孔されて形成され、前記突出軸体が、前記挿通孔に挿通されて前記突出軸とされることを特徴としている。第４の発明によれば、エフェクター機器の底面の周囲を、枠体で支えてから、各角隅部の挿通孔の各々に、挿し込むようにして一対の突出軸体を嵌め込んで、角隅部を固定すればよく、エフェクター機器の固定が容易である。【００２５】
本発明の第５の発明は、第１から第４の発明において、前記エフェクター固定台が、粘弾性部材を含み、前記粘弾性部材が、前記傾斜面に付設され、前記側壁と前記傾斜面とが前記粘弾性部材を介して接していることを特徴としている。粘弾性部材の形状は限定されず、傾斜面に貼着される薄板であってもよく、突出軸体の周囲を囲む環状体であってもよい。粘弾性材を突出軸体の周囲を囲む環状体とすれば、突出軸体をつまんでも滑りにくいため脱着しやすい。粘弾性材を薄くすれば、エフェクター機器の固定が弛みにくい。【００２６】
第５の発明によれば、エフェクター機器を足で踏んで演奏しても、粘弾性部材を介してエフェクター機器が固定されているため、エフェクター固定台からエフェクター機器が弛みにくく、演奏中でも強固に固定した状態を保つことが可能である。粘弾性部材を介して固定するため、エフェクター固定台の内法寸法をエフェクター機器よりも僅かに大きくしておく。エフェクター固定台とエフェクター機器との間に僅かに隙間があり、粘弾性部材を介して接しているため、少しずつゆっくりと引き抜くようにすれば、エフェクター機器をエフェクター固定台から取外すことも可能である。【００２７】
本発明の第６の発明は、エフェクターボードにエフェクター機器を固定させるエフェクター固定具セットにおいて、第１から第５の発明のいずれかのエフェクター固定台と、前記エフェクター固定台を保持させる中間保持台と、前記中間保持台を前記エフェクターボードに固定させる下部基台とからなり、前記エフェクター固定台を保持させた前記中間保持台を、前記下部基台に装着させる装着手段を含んでいることを特徴としている。【００２８】
異なった形状のエフェクター固定台であっても、エフェクター固定台を中間保持台に保持させてから、下部基台に装着させるようにしている。エフェクター機器の形状が変わっても中間保持台を下部基台に装着させる装着手段を変えなくてもよいため、中間保持台と下部基台を型抜き成形により製造して、コストを低下させることができる。エフェクター固定台を、中間保持材に固定させる部分の保持手段は、統一しておけばよい。例えば、異なる形状のエフェクター固定台であっても、エフェクター固定台をなす枠体の内方空間を統一しておき、中間保持台の外形を前記内方空間と同一の大きさとしておき、中間保持台をエフェクター固定台の内方空間に嵌め込むようにして保持させればよい。【００２９】
第６の発明によれば、エフェクター機器に適合した形状に、エフェクター固定台だけを３Ｄプリンタ等の製造方法により個別に製造し、中間保持台と下部基台は統一した形状のものとすることが可能であるため、全体のコストを抑えながら、全てのエフェクター機器に適合したエフェクター固定具セットを提供することが可能である。また、予めエフェクターボードに中間保持台を装着できるように下部基台を取付けておき、演奏者の所望に応じた演奏ができるように、中間保持台と一体にされたエフェクター機器を並び替えることが容易である。【００３０】
本発明の第７の発明は、第６の発明のエフェクター固定具セットにおいて、立柱と、陥没穴と、水平突出片と塞ぎ板とからなる装着手段を含み、前記立柱が、前記下部基台の天面に複数列をなして形成され、前記陥没穴が、前記中間保持台の底面に複数列をなして形成され、前記水平突出片が、向かい合う立柱頂部の内面位置に形成され、前記塞ぎ板が、前記中間保持台の底面にスライド可能に備えられ、前記装着手段は、開放された前記陥没穴に前記立柱頂部が嵌装された状態で、前記塞ぎ板が向かい合う立柱の間をスライドされて、前記陥没穴の一部が前記塞ぎ板により閉鎖され、前記水平突出片が前記陥没孔の中に格納され、前記中間保持台を前記下部基台に装着させることを特徴としている。【００３１】
第７の発明によれば、中間保持台を上方から落とし込むように、下部基台に装着させることが可能である。また、立柱頂部を、陥没穴の中に格納させてから、塞ぎ板で陥没穴の一部を閉鎖させて、水平突出片が外れないようにし、中間保持台を下部基台に強固に固定させる。一方、塞ぎ板をスライドさせて、陥没穴の一部の閉鎖状態を解除すれば、中間保持台を下部基台から上方に外すことが可能である。これにより、前後方向に長いエフェクター機器であっても装着可能であると共に、エフェクターを強固に固定すると共に、交換することも容易であるという有利な効果を奏する。
【発明の効果】
【００３２】
・本発明の第１の発明によれば、エフェクター機器を、遊びがほとんどない状態で固定可能であり、演奏者がエフェクター機器を足先で操作しても、エフェクター固定台から外れることがない。また、紐や結束バンドでエフェクター機器を拘束させる必要がないため、エフェクター機器の塗装等を損なわせず高価なヴィンテージ物の機器にも適用が可能である。
・本発明の第２の発明によれば、エフェクター固定台が目立たないように、エフェクター機器を見栄えよく強固に固定させることが可能である。
・本発明の第３の発明によれば、固定状態が弛みにくく、エフェクター機器を強固に固定することが可能である。
・本発明の第４の発明によれば、エフェクター機器の底面の周囲を、枠体で支えてから、各角隅部の挿通孔の各々に、挿し込むようにして一対の突出軸体を嵌め込んで、角隅部を固定すればよく、エフェクター機器の固定が容易である。
・本発明の第５の発明によれば、エフェクター固定台からエフェクター機器が弛みにくく、演奏中でも強固に固定した状態を保つことが可能である。エフェクター固定台とエフェクター機器との間に僅かに隙間があり、粘弾性部材を介して接しているため、少しずつゆっくりと引き抜くようにすれば、エフェクター機器をエフェクター固定台から取外すことも可能である。
・本発明の第６の発明によれば、エフェクター機器に適合した形状に、エフェクター固定台だけを３Ｄプリンタ等の製造方法により個別に製造し、中間保持台と下部基台は統一した形状のものとすることが可能であるため、固定具セット全体のコストを抑えることができる。また、演奏者の所望に応じた演奏ができるように、中間保持台と一体にされたエフェクター機器を並び替えることが容易である。
・本発明の第７の発明によれば、前後方向に長いエフェクター機器であっても装着可能であると共に、エフェクターを強固に固定すると共に、交換することも容易であるという有利な効果を奏する。
【図面の簡単な説明】
【００３３】
【図１】エフェクター固定具セットの説明図（実施例１）。
【図２】エフェクター固定具セットの分解斜視図（実施例１）。
【図３】中間保持台の底面図（実施例１）。
【図４】エフェクター固定具セットの分解斜視図（実施例２）。
【図５】エフェクター固定具セットの分解斜視図（実施例３）。
【発明を実施するための形態】
【００３４】
エフェクター機器の側壁下方の傾斜に適合する勾配とされた傾斜面を有する立設部により、エフェクター機器の下方を少なくとも三方から挟んで、エフェクター機器をエフェクター固定台に強固に固定させるようにした。エフェクター機器の大きさが異なっても、エフェクター固定台だけを、エフェクター機器に応じた形状に個別に造形し、エフェクター固定台以外の固定具セットの部品を共通としたエフェクター固定具セットとした。
【実施例１】
【００３５】
実施例１では、前後方向に長いエフェクター機器を、前方と両側方の三方から囲うエフェクター固定台１００と、前記エフェクター固定台１００が含まれたエフェクター固定具セット１を、図１から図３を参照して説明する。図１（Ａ）図は破線で示したエフェクター機器を固定した状態のエフェクター固定台１００の側面図を示し、図１（Ｂ）図は中間保持台２００を下部基台３００に保持させる前の断面図を示し、図１（Ｃ）図は中間保持台２００を下部基台３００に保持させた状態を断面図で示し、図２はエフェクター固定具セット１の分解斜視図を示している。【００３６】
実施例１のエフェクター固定具セット１は、エフェクター固定台１００と中間保持台２００と下部基台３００とからなっている。また、エフェクター固定台１００は、枠体１０と閉鎖部材２０と抜止軸体３０とからなっている。中間保持台２００は、中間保持台本体４０と塞ぎ板５０とからなっている。下部基台３００は、下部基台本体６０と押さえ片７０とからなっている。【００３７】
エフェクター固定台１００は、前後方向に長いエフェクター機器の底面に、機器の前方と両側方の底部を支えるように、三方から接する枠体１０によりエフェクター機器を固定させる。枠体１０は、底部１１と立設部１２とからなっている。枠体の前方の底部１１は長いエフェクター機器の前方部に接して支えるように前後幅が広い底板とされている。【００３８】
底部１１の前方と両側方から、エフェクター機器の側壁９０（図１（Ａ）図参照）に接するように立設部１２，１２が形成されている。エフェクター固定台１００においては、立設部１２は高さ約１ｃｍの立設壁とされている。立設壁はエフェクター機器に電気プラグ（図省略）を装着させる前方部と両側方部が薄板とされ、隅部が厚板の壁板とされている。【００３９】
立設部１２には、エフェクター機器に面する側に、エフェクター機器の側壁の傾斜（Ａ）（図１（Ａ）図参照）に適合するように傾斜面１３が形成されている（図２（Ａ）図、図１（Ａ）図参照）。実施例１では、三方の立設壁の内面が、全て傾斜面とされているが、一部に傾斜面とされていない部分があってもよいことは勿論のことである。【００４０】
左右の立設部の各々の後端には、後方凸部１４が形成されている。枠体１０の後方には、枠体１０を中間保持台２００に嵌め込むための嵌合孔をなす内方空間１５があけられ、その後端部が側方開放部をなす後方開放部１６とされている。内部空間に沿う底部１１の下縁には、嵌合段部１７が形成されている。嵌合段部の前後方向の略中央部には、底部が切り欠かれた顎部１８が形成されている。また、左右の立設部の前方内隅部と後方の側方には、シリコンゴムからなる粘弾性の薄板１９が添着されている。【００４１】
前記後方開放部を閉鎖させる閉鎖部材２０には、前記後方凸部１４に対応する位置に嵌合孔２１，２１が設けられると共に、上下方向に貫通された貫通孔２２，２２が設けられている。枠体１０の後方凸部１４に嵌合孔２１を挿嵌させて、閉鎖部材２０を枠体１０に装着させ、後方開放部を閉鎖させる。更に、抜止軸体３０，３０が、前記貫通孔２２を貫通させて中間保持台に至るように挿嵌され、閉鎖部材２０が外れないようにされ、エフェクター固定台１００が一体化される。【００４２】
ここで、図１、図２、図３を参照して、中間保持台の構成を説明する。図１（Ｂ）図は中間保持台から塞ぎ板５０が後方にスライドされて、陥没部の側方格納部が開放された状態を示し、図１（Ｃ）図は塞ぎ板５０が前方にスライドされて、陥没部の側方格納部が閉鎖された状態を示している。中間保持台本体４０の下方には、底面に沿って前後方向にスライド可能とされた塞ぎ板５０が設けられている。【００４３】
中間保持台本体４０の下面には、左右２列をなして、側方に張り出し部を有する略円形形状の陥没穴４１が２列に並んで形成され、略中央部には下方に向けて凸部４２が形成された細幅舌片（図１（Ｃ）図参照）が形成されている。左右に並んだ陥没穴４１の内方に張り出した陥没部（図３参照）は、側方格納部４３とされている。側方格納部４３には、後述するように下部基台３００の立柱６１に形成された水平突出片６２が格納される。【００４４】
中間保持台本体４０には、底面に沿って、後方から前方に向けて延びる幅広貫通孔４４が設けられている。薄板からなる塞ぎ板５０は、幅広貫通孔４４に後方から挿し込まれて（図２一点鎖線矢印参照）、前後方向にスライド可能とされている。塞ぎ板５０の略中央部には長孔５１が形成されている。この長孔５１に、細幅舌片に形成された凸部４２が係合されて、塞ぎ板５０の抜け止めがされる。【００４５】
中間保持台本体４０の下面周囲には、側方への突出し部４５が形成されている。中間保持台本体４０の上面の四隅部には、側方への突出し部４６が形成される。また、側縁の前後方向中央部には側方に突出した係合凸部４７が形成され、これらの下面の突出し部４５と上面の突出し部４６に挟まれた、筋状に延びる溝部４８に、エフェクター固定台の嵌合段部１７が挟まれてエフェクター固定台１００が中間保持台２００に保持される。【００４６】
エフェクター固定台１００を中間保持台２００に保持させるためには、枠体１０の両側方をひらくようにして、後方から嵌合段部１７を溝部４８に滑り込ませるようにして嵌め込み、前後方向中央部の顎部１８に係合凸部４７を係合させて、エフェクター固定台と中間保持台とを一体にする。【００４７】
ここで、中間保持台２００と一体にされたエフェクター固定台１００に、エフェクター機器を固定させる方法を説明する。前記枠体１０の後端を開くようにして、左右の立設部の間隔を広げ、後方上部から滑り込ませるようにして、エフェクター機器をエフェクター固定台１００に載せる。上方が窄まるように傾斜されたエフェクター機器の側壁９０（図１（Ａ）図参照）は、側壁９０の下部の傾斜（Ａ）に適合した立設部の傾斜面１３に挟まれた状態とされる。【００４８】
エフェクター機器をエフェクター固定台１００に載せてから、立設部の後端に閉鎖部材２０を係合させ、枠体の後方を閉鎖させる。そして、抜止軸体３０を、前記貫通孔２２から貫通させ、中間保持台本体４０の後端に形成されている後端孔４９に挿嵌させる。そうすると、エフェクター機器の下方の四周がエフェクター固定台１００により囲まれて、上方に抜けないようになる。【００４９】
ここで、下部基台３００を、図２を参照して説明する。下部基台３００には、２列をなすように並んだ立柱６１が４本立設されている。左右に並んだ立柱６１の頂部側方には水平突出片６２が形成されている。下部基台の底板の中央には前後方向に延びる長孔６３が形成されている。長孔の両側方の底板上面には、滑り止め歯部６４が形成されている。長孔の上方から、押さえ片７０の下方凸部７１が嵌められて、押さえ片の中央部の螺子孔７２を介して、エフェクターボードに下部基台３００が固定される。【００５０】
次に、中間保持台２００と下部基台３００の装着手段を、図１から図３を参照して説明する。図１（Ｂ）図は装着させる前の図３（Ａ）図のＡ−Ａ位置の断面図を示し、図１（Ｃ）図は装着させた状態の図３（Ａ）図のＢ−Ｂ位置の断面図を示している。中間保持台２００と下部基台３００の装着手段は、中間保持台の下面に沿ってスライドされる塞ぎ板５０と下部基台の立柱頂部に形成された水平突出片６２とからなっている。【００５１】
塞ぎ板５０を後方に（図１（Ｂ）図において右に）スライドさせた状態で、図３（Ｃ）図に示したように、塞ぎ板のくびれ部５２（図１（Ｂ）図の着色部）が陥没穴４１の側方に位置するようにされ、陥没穴４１の側方格納部４３は、下方に開放された状態とされている。一方、塞ぎ板５０を前方にスライドさせた状態では、図３（Ｄ）図に示したように側方格納部４３の下面が塞ぎ板５０の側方部５３に閉鎖され、陥没穴４１は円形形状の陥没穴とされる。【００５２】
塞ぎ板５０の側方部５３により側方格納部４３の下面が閉鎖されるため、下部基台の立柱の水平突出片６２が側方格納部４３に格納され、陥没穴４１から立柱頂部が抜け出ない状態となり、中間保持台２００が下部基台３００に装着された状態となる。下部基台３００に中間保持台２００を上方から落とし込むようにすればよいため、前後方向に長いエフェクター機器を装着させた状態の中間保持台２００でも、下部基台３００に装着させることができる。
【実施例２】
【００５３】
実施例２では、エフェクター機器を四周から囲む枠体からなるエフェクター固定台１１０を、図４を参照して説明する。中間保持台２１０と下部基台３１０については、図２を参照して簡単に説明する。エフェクター固定台１１０は、枠体をなす底部１１１と立設部１１２と、突出軸体１１３とからなっている。立設部１１２の下方部は、枠体の四隅に底部１１１から垂直に立設され、エフェクター機器の底部との間には僅かな隙間があけられている。立設部１１２の下方部には、各角隅部を挟んで２方向に挿通孔１１４，１１４が形成されている。【００５４】
立設部の上方部をなす突出軸体１１３は、下方に二股に分岐して、先方部に屈曲部１１５を有する脚部１１６を備えている。脚部１１６が挿通孔１１４を貫通し、屈曲部１１５が開かれた状態とされて、突出軸体１１３は立設部の下方部と一体とされる。各々の突出軸体１１３のエフェクター機器に面する内方の面は、エフェクター機器の側面に適合した勾配の傾斜面１１７とされる。また、突出軸体１１３の本体の天面は僅かに拡幅され、その下部の周囲には、シリコンゴムの環状体１１８が装着され、環状体のみがエフェクター機器に接するようにされている。【００５５】
エフェクター機器の各々の角隅部が、緩衝材をなす環状体１１８を介して、突出軸体１１３の傾斜面１１７により挟まれて固定されるため、エフェクター機器は容易に抜け出ないようにされる。エフェクター機器を固定するには、中間保持台２１０に保持された底部１１１にエフェクター機器を載せてから、予め外しておいた突出軸体１１３を立設部１１２の下方部に装着させるようにすればよい。【００５６】
エフェクター機器は、環状体１１８に接して固定されているため、足先でエフェクター機器が操作されても弛むことがない。また、少しずつゆっくりと引き抜くようにすれば、エフェクター機器を取外すことができる。また、同様に保持させることも可能である。【００５７】
実施例２の中間保持台２１０は、左右の底部の前後に分かれて２か所ずつ形成された顎部１１９との、係合凸部２１１が形成された周縁部の形状が異なるだけである。実施例１と同一の構成の部分には、図４に図２と同一の記号を付して詳細な説明は省略する。枠体が、内方空間１５を四周から囲む底部１１１からなり変形されにくいため、係合凸部２１１は分散されて配置されている。下部基台も、実施例１の下部基台と立柱の高さが異なるのみであるため、図４に図２と同一の記号を付して説明を省略している。中間保持台と下部基台の装着手段についても同様である。
【実施例３】
【００５８】
実施例３では、実施例２の突出軸体が立設部として一体に成形され枠体をなすエフェクター固定台１２０を、図５を参照して説明する。中間保持台２２０は実施例２の中間保持台２１０と同一であり、下部基台３２０は実施例２の下部基台３１０と同一であるため、図５に図４と同一の形状の部材を示し説明を省略する。【００５９】
エフェクター固定台１２０は、枠体１２１の四隅に、底部から垂直に立設された突出軸が立設部の下方部と一体に形成されている。突出軸は四角柱部１２２をなし、天面は僅かに拡幅され、その下部の周囲には、シリコンゴムの環状体１２３が装着され、環状体のみがエフェクター機器に接するようにされている。エフェクター機器をエフェクター固定台に固定するには、四角柱部を広げて、上方から、ゆっくりと少しずつエフェクター機器を押し込むようにする。部材が分割されていないため、エフェクター機器をより強固に固定させることが可能である。【００６０】
（その他）
・上述の説明では、エフェクター固定台の製造方法は３Ｄプリンタを中心に説明したが、製造する個数に応じた製造方法により製造されればよいことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等の意味及び範囲内でのすべての変更が含まれることが意図される。
【符号の説明】
【００６１】
１…エフェクター固定具セット、
１００，１１０，１２０…エフェクター固定台、２００，２１０，２２０…中間保持台、
３００，３１０，３２０…下部基台、
１０…枠体、２０…閉鎖部材、３０…抜止軸体、４０…中間保持台本体、
５０…塞ぎ板、６０…下部基台本体、７０…押さえ片、９０…側壁、
１１…底部、１２…立設部、１３…傾斜面、１４…後方凸部、１５…内方空間、
１６…後方開放部、１７…嵌合段部、１８…顎部、
２１…嵌合孔、２２…貫通孔、
４１…陥没穴、４２…凸部、４３…側方格納部、４４…幅広貫通孔、
４５…突出し部、４６…突出し部、４７…係合凸部、４８…溝部、４９…後端孔、
５１…長孔、５２…くびれ部、５３…側方部、
６１…立柱、６２…水平突出片、６３…長孔、６４…滑り止め歯部、
７１…下方凸部、７２…螺子孔、
１１１…底部、１１２…立設部、１１３…突出軸体、１１４…挿通孔、
１１５…屈曲部、１１６…脚部、１１７…傾斜面、１１８…環状体、１１９…顎部、
１２１…枠体、１２２…四角柱部、１２３…環状体、２１１…係合凸部
【図１】
2018083730.tif 000003
【図２】
2018083730.tif 000004
【図３】
2018083730.tif 000005
【図４】
2018083730.tif 000006
【図５】
2018083730.tif 000007
【手続補正書】
【提出日】平成29年2月7日(2017.2.7)
【手続補正１】
【補正対象書類名】明細書
【補正対象項目名】全文
【補正方法】変更
【補正の内容】
【発明の詳細な説明】
【技術分野】
【０００１】
本発明は、楽器用のエフェクター機器を固定するエフェクター固定台及びエフェクター固定具セットに関する。具体的には、エフェクター機器の大きさに適合して、エフェクター機器を強固に固定することが可能であると共に、固定したエフェクター機器が取外し可能とされたエフェクター固定台を提供することである。更には、エフェクター固定台の大きさが異なっても、エフェクター固定台と脱着可能とされている下部基台と、前記エフェクター固定台とを含んだエフェクター固定具セットに関する。
【背景技術】
【０００２】
音響効果を向上させる機器としてエフェクター機器がある。エフェクター機器は電気楽器等が発生させた音の電気信号を、出力機器に至るまでの間に、様々に変化させ音響効果を高める機器である。エフェクター機器の大きさは統一されておらず、夫々異なっているが、数多く普及しているエフェクター機器の大きさに合わせて、エフェクター機器が固定可能であるエフェクター固定具の技術が特許文献１に開示されている。
【０００３】
特許文献１に記載のエフェクター固定具は、エフェクター機器を固定させる上部板と、予めエフェクターボードに固着させておく下部板とからなり、上部板の下面と下部板の上面を離間させるように組み立てて、離間空間にエフェクター機器の配線を引きまわし可能としている。下部板からは、前後に２本ずつの支柱が立設され、引掛け凸部が前方支柱の前縁に形成されていると共に、先端に引掛け爪を備えさせた板体が、後方端部には立設されている。
【０００４】
上部板の底面には、前記支柱に対応される位置に陥没穴が形成され、前方陥没穴の前縁には、前記引掛け凸部と係合される引掛け顎が形成され、天面の後方には、下部板の後方端部から立設された板体の引掛け爪を係合させる溝が形成されている。また、上部板の天面の四隅には、載置させたエフェクター機器の側面を支える細幅立設片が形成されると共に、エフェクター機器を拘束させる結束バンド又は紐を引っ掛ける爪が両側方に形成される。
【０００５】
このエフェクター固定具にエフェクター機器を固定するには、予め上部板にエフェクター機器を載せて、細幅立設片に緩衝リングを装着させて、エフェクター機器と細幅立設片との隙間をなくし密着するようにし、エフェクター機器の上から紐を両側方の爪に引っ掛けて、エフェクター機器が脱落しないように固定する。
【０００６】
エフェクター機器を上部板に固定した状態で、上部板の先方が低くなるように傾けて、上部板の前方陥没穴の引掛け顎を、下部板の前方支柱の引掛け凸部に引掛けてから、上部板を水平にし、後方陥没穴に後方支柱を嵌め、下部板の後方端部に立設された板体の引掛け爪を上部板の溝に引掛けて、上部板を下部板に固定させていた。
【０００７】
演奏者は、複数のエフェクターを使っても誤って操作しないように、エフェクター機器の後端の位置を揃えるようにして使用している。そうすると、下部板の形状を統一した場合には、前後方向に長いエフェクター機器には、この技術が適用できないという課題があった。具体的には、長いエフェクター機器を、上部板の後端と下部板の後端の位置が揃えられたエフェクター固定具に固定させるとすると、上部板の先端が下部板の先端よりも先方に長く延びることになる。
【０００８】
上部板を下部板に固定させるためには、前方の陥没穴に前方支柱の先端をあてがうようにして、上部板を前方に傾けて、引掛け凸部と引掛け顎とを係合させることが必要である。しかし、上部板の先端が下部板の先端よりも先方に長く延びているため、上部板を傾けようとすると、下部板が固定してある場合には、下部板よりも下に上部板の先端を低くすることができないため、陥没穴が支柱の先端から浮き上がる状態となってしまう。そうすると、陥没穴と支柱の先端との間が離れてしまい、引掛け凸部に引掛け顎を引掛けることができず、上部板と下部板とを一体化することができなかった。
【０００９】
このため、下部板を統一した場合には、このエフェクター固定具の技術を前後方向に長いエフェクター機器に適用することはできなかった。また、エフェクター機器の大きさは、前後方向だけでなく、左右の幅方向にも異なった機器が多く様々である。エフェクター機器の種類が多く、多くの機種に適合して、強固に固定することが可能なエフェクター固定具を提供することが求められていた。
【００１０】
一方、上部板に載置可能な大きさと、近似した大きさの底面を有するエフェクター機器を選んで、上部板に搭載させても、エフェクター機器と細幅立設片との間に僅かな隙間があく。細幅立設片に緩衝リング等を装着することにより、隙間があかないようにされて固定度が高められていた。しかし、エフェクター機器は足で踏んで使用する機器もあるため、使われている間に固定が弛むことがある。この弛みを発生させないようにするため、上部板の側方の爪に樹脂性の結束バンド又は紐を引っ掛けて、エフェクター機器を上方からも拘束させることが必要であった。
【００１１】
しかし、エフェクター機器が高価である場合、例えばヴィンテージ物のエフェクター機器である場合には、エフェクター機器の塗装等を損なわせないために、紐や結束バンドを使うことができず、この技術によっては、演奏者が愛用しているヴィンテージ物のエフェクター機器を固定することができないという課題があった。
【００１２】
本願の発明者は、エフェクター機器の固定具について鋭意研究を重ねた結果、どのエフェクター機器も筐体が、ダイキャスト製造によるか、プレス製造により製造されており、製造の段階で雌型から筐体を引き出すことが可能であるように、筐体の側壁が僅かに内方に傾斜し、上方が窄まった形状になっているという共通点に着目して、本願の発明に至ったものである。
【先行技術文献】
【特許文献】
【００１３】
【特許文献１】特願２０１１−５４８７０３号公報
【発明の概要】
【発明が解決しようとする課題】
【００１４】
本発明は、エフェクター機器の大きさに適合して、エフェクター機器を強固に固定することが可能であると共に、固定したエフェクター機器が取外し可能とされたエフェクター固定台を提供すると共に、エフェクター固定台の大きさが異なっても、エフェクター固定台と容易に脱着することが可能な下部基台と、前記エフェクター固定台とを含んだエフェクター固定具セットを提供することを課題とした。
【００１５】
本発明の第１の発明は、音響用のエフェクター機器を固定させるエフェクター固定台において、前記エフェクター固定台は、前記エフェクター機器の底面を支える枠体と、閉鎖部材とを含み、前記枠体は、底部と、前記底部の周縁から立設され、エフェクター機器を支える立設部とからなり、前記枠体が、前記底面の三方の周囲のみに接し、前記底部が、前記エフェクター機器の底面の三方の周縁を支え、前記立設部が、前記エフェクター機器に面する側に傾斜面を含み、前記傾斜面が、前記エフェクター機器の周縁に沿って形成され、前記傾斜面がエフェクター機器の傾斜された側壁の三方の下方に接し、前記枠体の側方開方部を開いて、前記傾斜面を前記側壁に三方から接しさせるようにエフェクター機器に前記枠体を装着させた状態で、前記枠体の側方開放部が前記閉鎖部材により閉鎖されて、前記エフェクター機器が、前記エフェクター固定台に固定されることを特徴としている。
【００１６】
エフェクター機器の大きさは統一された規格がなく、機器毎に大きさが異なっているが、エフェクター機器の筐体は、主としてダイキャストにより製造されている。ダイキャストして型から引き抜くために、筐体の側面は、具体的には約１度以上の傾斜角度で傾斜されている。立設部は、エフェクター機器の底縁部の少なく三方の側壁の下方に接するようにされている。立設部の、エフェクター機器側の面は傾斜面とされ、エフェクター機器の傾斜された側壁に適合して接している。
【００１７】
立設部の周囲四方が、エフェクター機器の側壁の下方に接する場合には、エフェクター機器の底縁の全てが囲まれた状態となる。立設部の四方のうちの三方が、エフェクター機器の側壁の下方に接する場合は、残りの一方が側方開放部とされ、三方がエフェクター機器の底縁を囲んだ状態となる。第１の発明によれば、上方が窄まったエフェクター機器の底縁の三方が、エフェクター機器の側壁の傾斜に適合した傾斜面とされた立設部により挟まれて固定されるため、エフェクター機器が上方に抜けにくい状態とされる。
【００１８】
エフェクター固定台は、固定させるエフェクターの底面の形状に適合するように、３Ｄプリンタ又は射出成形等により樹脂製の固定台が製造される。エフェクター固定台の立設部の傾斜面がエフェクター機器の側壁の傾斜に適合した傾斜となるように、エフェクター機器の形状・大きさに適合し、機器を載置した状態で遊びがほとんどない固定台が造形される。３Ｄプリンタの種類は、熱溶解積層方式、粉末焼結方式、インクジェット方式等のいずれでもよく、限定されない。
【００１９】
また、エフェクター機器の底縁部の周囲を、エフェクター固定台の周囲の立設部だけで支えているため、外観上エフェクター固定台が目立たず、エフェクター固定台にエフェクター機器を装着させた状態でも、見栄えが良い。枠体の側方開放部を開いた状態として、エフェクター機器の底縁の三方を囲むように枠体を装着させてから、側方開放部を閉鎖部材により閉鎖させ、底縁の全周囲を囲う。なお、側方開放部は四方のいずれの位置であってもよい。第２の発明によれば、エフェクター固定台が目立たないように、エフェクター機器を見栄えよく強固に固定させることが可能である。
【００２０】
エフェクター機器が、遊びがほとんどない状態で、エフェクター機器の側壁の傾斜に適合した傾斜面を有する立設部により挟まれて固定されるため、演奏者がエフェクター機器を足先で操作しても、エフェクター固定台から外れることがない。また、紐や結束バンドでエフェクター機器を拘束させる必要がないため、エフェクター機器の塗装等を損なわせず高価なヴィンテージ物の機器にも適用が可能である。
【００２１】
本発明の第２の発明は、音響用のエフェクター機器を固定させるエフェクター固定台において、前記エフェクター固定台は、前記エフェクター機器の底面を支える枠体と、複数の突出軸とを含み、前記枠体は、底部と、前記底部の周縁から立設され、エフェクター機器を支える立設部とからなり、前記底部が、前記エフェクター機器の底面の四方の周縁を支え、前記立設部が、エフェクター機器に面する側に傾斜面を含み、前記傾斜面がエフェクター機器の傾斜された側壁の四方の下方に接してエフェクター機器を固定させ、前記突出軸が、前記立設部の各角隅部を挟んだ前記側壁の一方に接するように、各角隅部に対をなして立設され、前記突出軸体のエフェクター機器に面する側が前記傾斜面とされていることを特徴としている。
【００２２】
第２の発明によれば、エフェクター機器の周囲を、底部と立設部とからなる枠体が、四方から囲んで支えることになり、固定状態が弛みにくく、エフェクター機器を強固に固定することが可能である。また、突出軸体を外方に反らすようにして、枠内にエフェクター機器を誘導すれば、エフェクター固定台にエフェクター機器を固定させることが可能である。
【００２３】
本発明の第３の発明は、第２の発明において、前記エフェクター固定台は、挿通孔と突出軸体とを含み、前記挿通孔が、前記各角隅部を挟んだ位置に上下方向に穿孔されて形成され、前記突出軸体が、前記挿通孔に挿通されて前記突出軸とされることを特徴としている。第３の発明によれば、エフェクター機器の底面の周囲を、枠体で支えてから、各角隅部の挿通孔の各々に、挿し込むようにして一対の突出軸体を嵌め込んで、角隅部を固定すればよく、エフェクター機器の固定が容易である。
【００２４】
本発明の第４の発明は、第１から第３の発明において、前記エフェクター固定台が、粘弾性部材を含み、前記粘弾性部材が、前記傾斜面に付設され、前記側壁と前記傾斜面とが前記粘弾性部材を介して接していることを特徴としている。粘弾性部材の形状は限定されず、傾斜面に貼着される薄板であってもよく、突出軸体の周囲を囲む環状体であってもよい。粘弾性材を突出軸体の周囲を囲む環状体とすれば、突出軸体をつまんでも滑りにくいため脱着しやすい。粘弾性材を薄くすれば、エフェクター機器の固定が弛みにくい。
【００２５】
第４の発明によれば、エフェクター機器を足で踏んで演奏しても、粘弾性部材を介してエフェクター機器が固定されているため、エフェクター固定台からエフェクター機器が弛みにくく、演奏中でも強固に固定した状態を保つことが可能である。粘弾性部材を介して固定するため、エフェクター固定台の内法寸法をエフェクター機器よりも僅かに大きくしておく。エフェクター固定台とエフェクター機器との間に僅かに隙間があり、粘弾性部材を介して接しているため、少しずつゆっくりと引き抜くようにすれば、エフェクター機器をエフェクター固定台から取外すことも可能である。
【００２６】
本発明の第５の発明は、エフェクターボードにエフェクター機器を固定させるエフェクター固定具セットにおいて、第１から第４の発明のいずれかのエフェクター固定台と、前記エフェクター固定台を保持させる中間保持台と、前記中間保持台を前記エフェクターボードに固定させる下部基台とからなり、前記エフェクター固定台を保持させた前記中間保持台を、前記下部基台に装着させる装着手段を含んでいることを特徴としている。
【００２７】
異なった形状のエフェクター固定台であっても、エフェクター固定台を中間保持台に保持させてから、下部基台に装着させるようにしている。エフェクター機器の形状が変わっても中間保持台を下部基台に装着させる装着手段を変えなくてもよいため、中間保持台と下部基台を型抜き成形により製造して、コストを低下させることができる。エフェクター固定台を、中間保持材に固定させる部分の保持手段は、統一しておけばよい。例えば、異なる形状のエフェクター固定台であっても、エフェクター固定台をなす枠体の内方空間を統一しておき、中間保持台の外形を前記内方空間と同一の大きさとしておき、中間保持台をエフェクター固定台の内方空間に嵌め込むようにして保持させればよい。
【００２８】
第５の発明によれば、エフェクター機器に適合した形状に、エフェクター固定台だけを３Ｄプリンタ等の製造方法により個別に製造し、中間保持台と下部基台は統一した形状のものとすることが可能であるため、全体のコストを抑えながら、全てのエフェクター機器に適合したエフェクター固定具セットを提供することが可能である。また、予めエフェクターボードに中間保持台を装着できるように下部基台を取付けておき、演奏者の所望に応じた演奏ができるように、中間保持台と一体にされたエフェクター機器を並び替えることが容易である。
【００２９】
本発明の第６の発明は、第５の発明のエフェクター固定具セットにおいて、立柱と、陥没穴と、水平突出片と塞ぎ板とからなる装着手段を含み、前記立柱が、前記下部基台の天面に複数列をなして形成され、前記陥没穴が、前記中間保持台の底面に複数列をなして形成され、前記水平突出片が、向かい合う立柱頂部の内面位置に形成され、前記塞ぎ板が、前記中間保持台の底面にスライド可能に備えられ、前記装着手段は、開放された前記陥没穴に前記立柱頂部が嵌装された状態で、前記塞ぎ板が向かい合う立柱の間をスライドされて、前記陥没穴の一部が前記塞ぎ板により閉鎖され、前記水平突出片が前記陥没孔の中に格納され、前記中間保持台を前記下部基台に装着させることを特徴としている。
【００３０】
第６の発明によれば、中間保持台を上方から落とし込むように、下部基台に装着させることが可能である。また、立柱頂部を、陥没穴の中に格納させてから、塞ぎ板で陥没穴の一部を閉鎖させて、水平突出片が外れないようにし、中間保持台を下部基台に強固に固定させる。一方、塞ぎ板をスライドさせて、陥没穴の一部の閉鎖状態を解除すれば、中間保持台を下部基台から上方に外すことが可能である。これにより、前後方向に長いエフェクター機器であっても装着可能であると共に、エフェクターを強固に固定すると共に、交換することも容易であるという有利な効果を奏する。
【発明の効果】
【００３１】
・本発明の第１の発明によれば、エフェクター機器を、遊びがほとんどない状態で固定可能であり、演奏者がエフェクター機器を足先で操作しても、エフェクター固定台から外れることがない。また、紐や結束バンドでエフェクター機器を拘束させる必要がないため、エフェクター機器の塗装等を損なわせず高価なヴィンテージ物の機器にも適用が可能である。また、エフェクター固定台が目立たないように、エフェクター機器を見栄えよく強固に固定させることが可能である。
・本発明の第２の発明によれば、固定状態が弛みにくく、エフェクター機器を強固に固定することが可能である。
・本発明の第３の発明によれば、エフェクター機器の底面の周囲を、枠体で支えてから、各角隅部の挿通孔の各々に、挿し込むようにして一対の突出軸体を嵌め込んで、角隅部を固定すればよく、エフェクター機器の固定が容易である。
【００３２】
・本発明の第４の発明によれば、エフェクター固定台からエフェクター機器が弛みにくく、演奏中でも強固に固定した状態を保つことが可能である。エフェクター固定台とエフェクター機器との間に僅かに隙間があり、粘弾性部材を介して接しているため、少しずつゆっくりと引き抜くようにすれば、エフェクター機器をエフェクター固定台から取外すことも可能である。
・本発明の第５の発明によれば、エフェクター機器に適合した形状に、エフェクター固定台だけを３Ｄプリンタ等の製造方法により個別に製造し、中間保持台と下部基台は統一した形状のものとすることが可能であるため、固定具セット全体のコストを抑えることができる。また、演奏者の所望に応じた演奏ができるように、中間保持台と一体にされたエフェクター機器を並び替えることが容易である。
・本発明の第６の発明によれば、前後方向に長いエフェクター機器であっても装着可能であると共に、エフェクターを強固に固定すると共に、交換することも容易であるという有利な効果を奏する。
【図面の簡単な説明】
【００３３】
【図１】エフェクター固定具セットの説明図（実施例１）。
【図２】エフェクター固定具セットの分解斜視図（実施例１）。
【図３】中間保持台の底面図（実施例１）。
【図４】エフェクター固定具セットの分解斜視図（実施例２）。
【図５】エフェクター固定具セットの分解斜視図（実施例３）。
【発明を実施するための形態】
【００３４】
エフェクター機器の側壁下方の傾斜に適合する勾配とされた傾斜面を有する立設部により、エフェクター機器の下方を少なくとも三方から挟んで、エフェクター機器をエフェクター固定台に強固に固定させるようにした。エフェクター機器の大きさが異なっても、エフェクター固定台だけを、エフェクター機器に応じた形状に個別に造形し、エフェクター固定台以外の固定具セットの部品を共通としたエフェクター固定具セットとした。
【実施例１】
【００３５】
実施例１では、前後方向に長いエフェクター機器を、前方と両側方の三方から囲うエフェクター固定台１００と、前記エフェクター固定台１００が含まれたエフェクター固定具セット１を、図１から図３を参照して説明する。図１（Ａ）図は破線で示したエフェクター機器を固定した状態のエフェクター固定台１００の側面図を示し、図１（Ｂ）図は中間保持台２００を下部基台３００に保持させる前の断面図を示し、図１（Ｃ）図は中間保持台２００を下部基台３００に保持させた状態を断面図で示し、図２はエフェクター固定具セット１の分解斜視図を示している。
【００３６】
実施例１のエフェクター固定具セット１は、エフェクター固定台１００と中間保持台２００と下部基台３００とからなっている。また、エフェクター固定台１００は、枠体１０と閉鎖部材２０と抜止軸体３０とからなっている。中間保持台２００は、中間保持台本体４０と塞ぎ板５０とからなっている。下部基台３００は、下部基台本体６０と押さえ片７０とからなっている。
【００３７】
エフェクター固定台１００は、前後方向に長いエフェクター機器の底面に、機器の前方と両側方の底部を支えるように、三方から接する枠体１０によりエフェクター機器を固定させる。枠体１０は、底部１１と立設部１２とからなっている。枠体の前方の底部１１は長いエフェクター機器の前方部に接して支えるように前後幅が広い底板とされている。
【００３８】
底部１１の前方と両側方から、エフェクター機器の側壁９０（図１（Ａ）図参照）に接するように立設部１２，１２が形成されている。エフェクター固定台１００においては、立設部１２は高さ約１ｃｍの立設壁とされている。立設壁はエフェクター機器に電気プラグ（図省略）を装着させる前方部と両側方部が薄板とされ、隅部が厚板の壁板とされている。
【００３９】
立設部１２には、エフェクター機器に面する側に、エフェクター機器の側壁の傾斜（Ａ）（図１（Ａ）図参照）に適合するように傾斜面１３が形成されている（図２（Ａ）図、図１（Ａ）図参照）。実施例１では、三方の立設壁の内面が、全て傾斜面とされているが、一部に傾斜面とされていない部分があってもよいことは勿論のことである。
【００４０】
左右の立設部の各々の後端には、後方凸部１４が形成されている。枠体１０の後方には、枠体１０を中間保持台２００に嵌め込むための嵌合孔をなす内方空間１５があけられ、その後端部が側方開放部をなす後方開放部１６とされている。内部空間に沿う底部１１の下縁には、嵌合段部１７が形成されている。嵌合段部の前後方向の略中央部には、底部が切り欠かれた顎部１８が形成されている。また、左右の立設部の前方内隅部と後方の側方には、シリコンゴムからなる粘弾性の薄板１９が添着されている。
【００４１】
前記後方開放部を閉鎖させる閉鎖部材２０には、前記後方凸部１４に対応する位置に嵌合孔２１，２１が設けられると共に、上下方向に貫通された貫通孔２２，２２が設けられている。枠体１０の後方凸部１４に嵌合孔２１を挿嵌させて、閉鎖部材２０を枠体１０に装着させ、後方開放部を閉鎖させる。更に、抜止軸体３０，３０が、前記貫通孔２２を貫通させて中間保持台に至るように挿嵌され、閉鎖部材２０が外れないようにされ、エフェクター固定台１００が一体化される。
【００４２】
ここで、図１、図２、図３を参照して、中間保持台の構成を説明する。図１（Ｂ）図は中間保持台から塞ぎ板５０が後方にスライドされて、陥没部の側方格納部が開放された状態を示し、図１（Ｃ）図は塞ぎ板５０が前方にスライドされて、陥没部の側方格納部が閉鎖された状態を示している。中間保持台本体４０の下方には、底面に沿って前後方向にスライド可能とされた塞ぎ板５０が設けられている。
【００４３】
中間保持台本体４０の下面には、左右２列をなして、側方に張り出し部を有する略円形形状の陥没穴４１が２列に並んで形成され、略中央部には下方に向けて凸部４２が形成された細幅舌片（図１（Ｃ）図参照）が形成されている。左右に並んだ陥没穴４１の内方に張り出した陥没部（図３参照）は、側方格納部４３とされている。側方格納部４３には、後述するように下部基台３００の立柱６１に形成された水平突出片６２が格納される。
【００４４】
中間保持台本体４０には、底面に沿って、後方から前方に向けて延びる幅広貫通孔４４が設けられている。薄板からなる塞ぎ板５０は、幅広貫通孔４４に後方から挿し込まれて（図２一点鎖線矢印参照）、前後方向にスライド可能とされている。塞ぎ板５０の略中央部には長孔５１が形成されている。この長孔５１に、細幅舌片に形成された凸部４２が係合されて、塞ぎ板５０の抜け止めがされる。
【００４５】
中間保持台本体４０の下面周囲には、側方への突出し部４５が形成されている。中間保持台本体４０の上面の四隅部には、側方への突出し部４６が形成される。また、側縁の前後方向中央部には側方に突出した係合凸部４７が形成され、これらの下面の突出し部４５と上面の突出し部４６に挟まれた、筋状に延びる溝部４８に、エフェクター固定台の嵌合段部１７が挟まれてエフェクター固定台１００が中間保持台２００に保持される。
【００４６】
エフェクター固定台１００を中間保持台２００に保持させるためには、枠体１０の両側方をひらくようにして、後方から嵌合段部１７を溝部４８に滑り込ませるようにして嵌め込み、前後方向中央部の顎部１８に係合凸部４７を係合させて、エフェクター固定台と中間保持台とを一体にする。
【００４７】
ここで、中間保持台２００と一体にされたエフェクター固定台１００に、エフェクター機器を固定させる方法を説明する。前記枠体１０の後端を開くようにして、左右の立設部の間隔を広げ、後方上部から滑り込ませるようにして、エフェクター機器をエフェクター固定台１００に載せる。上方が窄まるように傾斜されたエフェクター機器の側壁９０（図１（Ａ）図参照）は、側壁９０の下部の傾斜（Ａ）に適合した立設部の傾斜面１３に挟まれた状態とされる。
【００４８】
エフェクター機器をエフェクター固定台１００に載せてから、立設部の後端に閉鎖部材２０を係合させ、枠体の後方を閉鎖させる。そして、抜止軸体３０を、前記貫通孔２２から貫通させ、中間保持台本体４０の後端に形成されている後端孔４９に挿嵌させる。そうすると、エフェクター機器の下方の四周がエフェクター固定台１００により囲まれて、上方に抜けないようになる。
【００４９】
ここで、下部基台３００を、図２を参照して説明する。下部基台３００には、２列をなすように並んだ立柱６１が４本立設されている。左右に並んだ立柱６１の頂部側方には水平突出片６２が形成されている。下部基台の底板の中央には前後方向に延びる長孔６３が形成されている。長孔の両側方の底板上面には、滑り止め歯部６４が形成されている。長孔の上方から、押さえ片７０の下方凸部７１が嵌められて、押さえ片の中央部の螺子孔７２を介して、エフェクターボードに下部基台３００が固定される。
【００５０】
次に、中間保持台２００と下部基台３００の装着手段を、図１から図３を参照して説明する。図１（Ｂ）図は装着させる前の図３（Ａ）図のＡ−Ａ位置の断面図を示し、図１（Ｃ）図は装着させた状態の図３（Ａ）図のＢ−Ｂ位置の断面図を示している。中間保持台２００と下部基台３００の装着手段は、中間保持台の下面に沿ってスライドされる塞ぎ板５０と下部基台の立柱頂部に形成された水平突出片６２とからなっている。
【００５１】
塞ぎ板５０を後方に（図１（Ｂ）図において右に）スライドさせた状態で、図３（Ｃ）図に示したように、塞ぎ板のくびれ部５２（図１（Ｂ）図の着色部）が陥没穴４１の側方に位置するようにされ、陥没穴４１の側方格納部４３は、下方に開放された状態とされている。一方、塞ぎ板５０を前方にスライドさせた状態では、図３（Ｄ）図に示したように側方格納部４３の下面が塞ぎ板５０の側方部５３に閉鎖され、陥没穴４１は円形形状の陥没穴とされる。
【００５２】
塞ぎ板５０の側方部５３により側方格納部４３の下面が閉鎖されるため、下部基台の立柱の水平突出片６２が側方格納部４３に格納され、陥没穴４１から立柱頂部が抜け出ない状態となり、中間保持台２００が下部基台３００に装着された状態となる。下部基台３００に中間保持台２００を上方から落とし込むようにすればよいため、前後方向に長いエフェクター機器を装着させた状態の中間保持台２００でも、下部基台３００に装着させることができる。
【実施例２】
【００５３】
実施例２では、エフェクター機器を四周から囲む枠体からなるエフェクター固定台１１０を、図４を参照して説明する。中間保持台２１０と下部基台３１０については、図２を参照して簡単に説明する。エフェクター固定台１１０は、枠体をなす底部１１１と立設部１１２と、突出軸体１１３とからなっている。立設部１１２の下方部は、枠体の四隅に底部１１１から垂直に立設され、エフェクター機器の底部との間には僅かな隙間があけられている。立設部１１２の下方部には、各角隅部を挟んで２方向に挿通孔１１４，１１４が形成されている。
【００５４】
立設部の上方部をなす突出軸体１１３は、下方に二股に分岐して、先方部に屈曲部１１５を有する脚部１１６を備えている。脚部１１６が挿通孔１１４を貫通し、屈曲部１１５が開かれた状態とされて、突出軸体１１３は立設部の下方部と一体とされる。各々の突出軸体１１３のエフェクター機器に面する内方の面は、エフェクター機器の側面に適合した勾配の傾斜面１１７とされる。また、突出軸体１１３の本体の天面は僅かに拡幅され、その下部の周囲には、シリコンゴムの環状体１１８が装着され、環状体のみがエフェクター機器に接するようにされている。
【００５５】
エフェクター機器の各々の角隅部が、緩衝材をなす環状体１１８を介して、突出軸体１１３の傾斜面１１７により挟まれて固定されるため、エフェクター機器は容易に抜け出ないようにされる。エフェクター機器を固定するには、中間保持台２１０に保持された底部１１１にエフェクター機器を載せてから、予め外しておいた突出軸体１１３を立設部１１２の下方部に装着させるようにすればよい。
【００５６】
エフェクター機器は、環状体１１８に接して固定されているため、足先でエフェクター機器が操作されても弛むことがない。また、少しずつゆっくりと引き抜くようにすれば、エフェクター機器を取外すことができる。また、同様に保持させることも可能である。
【００５７】
実施例２の中間保持台２１０は、左右の底部の前後に分かれて２か所ずつ形成された顎部１１９との、係合凸部２１１が形成された周縁部の形状が異なるだけである。実施例１と同一の構成の部分には、図４に図２と同一の記号を付して詳細な説明は省略する。枠体が、内方空間１５を四周から囲む底部１１１からなり変形されにくいため、係合凸部２１１は分散されて配置されている。下部基台も、実施例１の下部基台と立柱の高さが異なるのみであるため、図４に図２と同一の記号を付して説明を省略している。中間保持台と下部基台の装着手段についても同様である。
【実施例３】
【００５８】
実施例３では、実施例２の突出軸体が立設部として一体に成形され枠体をなすエフェクター固定台１２０を、図５を参照して説明する。中間保持台２２０は実施例２の中間保持台２１０と同一であり、下部基台３２０は実施例２の下部基台３１０と同一であるため、図５に図４と同一の形状の部材を示し説明を省略する。
【００５９】
エフェクター固定台１２０は、枠体１２１の四隅に、底部から垂直に立設された突出軸が立設部の下方部と一体に形成されている。突出軸は四角柱部１２２をなし、天面は僅かに拡幅され、その下部の周囲には、シリコンゴムの環状体１２３が装着され、環状体のみがエフェクター機器に接するようにされている。エフェクター機器をエフェクター固定台に固定するには、四角柱部を広げて、上方から、ゆっくりと少しずつエフェクター機器を押し込むようにする。部材が分割されていないため、エフェクター機器をより強固に固定させることが可能である。
【００６０】
（その他）
・上述の説明では、エフェクター固定台の製造方法は３Ｄプリンタを中心に説明したが、製造する個数に応じた製造方法により製造されればよいことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等の意味及び範囲内でのすべての変更が含まれることが意図される。
【符号の説明】
【００６１】
１…エフェクター固定具セット、
１００，１１０，１２０…エフェクター固定台、２００，２１０，２２０…中間保持台、
３００，３１０，３２０…下部基台、
１０…枠体、２０…閉鎖部材、３０…抜止軸体、４０…中間保持台本体、
５０…塞ぎ板、６０…下部基台本体、７０…押さえ片、９０…側壁、
１１…底部、１２…立設部、１３…傾斜面、１４…後方凸部、１５…内方空間、
１６…後方開放部、１７…嵌合段部、１８…顎部、
２１…嵌合孔、２２…貫通孔、
４１…陥没穴、４２…凸部、４３…側方格納部、４４…幅広貫通孔、
４５…突出し部、４６…突出し部、４７…係合凸部、４８…溝部、４９…後端孔、
５１…長孔、５２…くびれ部、５３…側方部、
６１…立柱、６２…水平突出片、６３…長孔、６４…滑り止め歯部、
７１…下方凸部、７２…螺子孔、
１１１…底部、１１２…立設部、１１３…突出軸体、１１４…挿通孔、
１１５…屈曲部、１１６…脚部、１１７…傾斜面、１１８…環状体、１１９…顎部、
１２１…枠体、１２２…四角柱部、１２３…環状体、２１１…係合凸部
【手続補正２】
【補正対象書類名】特許請求の範囲
【補正対象項目名】全文
【補正方法】変更
【補正の内容】
【特許請求の範囲】
【請求項１】
音響用のエフェクター機器を固定させるエフェクター固定台において、
前記エフェクター固定台は、前記エフェクター機器の底面を支える枠体と、閉鎖部材とを含み、
前記枠体は、底部と、前記底部の周縁から立設され、エフェクター機器を支える立設部とからなり、
前記枠体が、前記底面の三方の周囲のみに接し、
前記底部が、前記エフェクター機器の底面の三方の周縁を支え、
前記立設部が、前記エフェクター機器に面する側に傾斜面を含み、前記傾斜面が、前記エフェクター機器の周縁に沿って形成され、前記傾斜面がエフェクター機器の傾斜された側壁の三方の下方に接し、
前記枠体の側方開方部を開いて、前記傾斜面を前記側壁に三方から接しさせるようにエフェクター機器に前記枠体を装着させた状態で、前記枠体の側方開放部が前記閉鎖部材により閉鎖されて、前記エフェクター機器が、前記エフェクター固定台に固定される、
ことを特徴とするエフェクター固定台。
【請求項２】
音響用のエフェクター機器を固定させるエフェクター固定台において、
前記エフェクター固定台は、前記エフェクター機器の底面を支える枠体と、複数の突出軸とを含み、
前記枠体は、底部と、前記底部の周縁から立設され、エフェクター機器を支える立設部とからなり、
前記底部が、前記エフェクター機器の底面の四方の周縁を支え、
前記立設部が、エフェクター機器に面する側に傾斜面を含み、前記傾斜面がエフェクター機器の傾斜された側壁の四方の下方に接してエフェクター機器を固定させ、
前記突出軸が、前記立設部の各角隅部を挟んだ前記側壁の一方に接するように、各角隅部に対をなして立設され、
前記突出軸体のエフェクター機器に面する側が前記傾斜面とされている、
ことを特徴とするエフェクター固定台。
【請求項３】
前記エフェクター固定台は、挿通孔と突出軸体とを含み、
前記挿通孔が、前記各角隅部を挟んだ位置に上下方向に穿孔されて形成され、
前記突出軸体が、前記挿通孔に挿通されて前記突出軸とされる、
ことを特徴とする請求項２に記載のエフェクター固定台。
【請求項４】
前記エフェクター固定台が、粘弾性部材を含み、
前記粘弾性部材が、前記傾斜面に付設され、前記側壁と前記傾斜面とが前記粘弾性部材を介して接している、
ことを特徴とする請求項１乃至請求項３のいずれか一項に記載のエフェクター固定台。
【請求項５】
エフェクターボードにエフェクター機器を固定させるエフェクター固定具セットにおいて、
請求項１乃至請求項４のいずれか一項に記載のエフェクター固定台と、前記エフェクター固定台を保持させる中間保持台と、前記中間保持台を前記エフェクターボードに固定させる下部基台とからなり、
前記エフェクター固定台を保持させた前記中間保持台を、前記下部基台に装着させる装着手段を含んでいる、
ことを特徴とするエフェクター固定具セット。
【請求項６】
前記エフェクター固定具セットにおいて、
立柱と、陥没穴と、水平突出片と塞ぎ板とからなる装着手段を含み、
前記立柱が、前記下部基台の天面に複数列をなして形成され、
前記陥没穴が、前記中間保持台の底面に複数列をなして形成され、
前記水平突出片が、向かい合う立柱頂部の内面位置に形成され、
前記塞ぎ板が、前記中間保持台の底面にスライド可能に備えられ、
前記装着手段は、開放された前記陥没穴に前記立柱頂部が嵌装された状態で、前記塞ぎ板が向かい合う立柱の間をスライドされて、前記陥没穴の一部が前記塞ぎ板により閉鎖され、前記水平突出片が前記陥没孔の中に格納され、前記中間保持台を前記下部基台に装着させる、
ことを特徴とする請求項５に記載のエフェクター固定具セット。
【国際調査報告】
2018083730.tif 000008
2018083730.tif 000009